(57)【要約】【課題】ＦＰＣにシートを貼着した構成を有する配線構造及びその配線構造を備えた電子回路において、ＦＰＣの損傷の有無をその折り曲げ後にも容易に確認可能とすること。【解決手段】予め設定された折り線Ｌ１で折り曲げられるＦＰＣ３と、ＦＰＣ３の片面の、折り線Ｌ１との対向部分を含む範囲に対向配置され、ＦＰＣ３に対する緩衝、消音、又は他の部材との間隙確保を行うシート５と、を備えた配線構造１において、シート５は、ＦＰＣ３の前記片面に対して、折り線Ｌ１との対向部分５Ｃ及び折り線Ｌ１に対する一端５Ａの側の部分を残して貼着されている。シート５の一端５Ａを捲り上げれば、折り線Ｌ１の部分に損傷があるか否かを容易に目視により確認することができる。【選択図】図１
2015144198.tif 000002
【特許請求の範囲】
【請求項１】
予め設定された折り線で折り曲げられるフレキシブルプリント基板と、
前記フレキシブルプリント基板の少なくとも片方の面の、前記折り線との対向部分を含む範囲に対向配置され、前記フレキシブルプリント基板に対する緩衝、消音、又は他の部材との間隙確保を行うシートと、
を備え、
前記シートは、前記フレキシブルプリント基板の前記面に対して、前記折り線との対向部分及び前記折り線に対するいずれか一方の側の部分を残して前記面に貼着されていることを特徴とする配線構造。
【請求項２】
前記シートの前記折り線との対向部分及び前記一方の側の部分の面積は、前記シートの前記フレキシブルプリント基板に貼着された部分の面積よりも小さいことを特徴とする請求項１に記載の配線構造。
【請求項３】
少なくとも片面に電子部品が実装された基板と、
前記基板を他部材に固定するための固定具又は前記電子部品と前記シートとが対向するように、前記基板に接続された請求項１又は２記載の配線構造と、
を備えたことを特徴とする電子回路。
【請求項４】
前記折り線から前記一方の側に向かう方向に対して、前記フレキシブルプリント基板は前記シートよりも長く、その部分に前記フレキシブルプリント基板は前記シートと対向しない非対向部を有し、
前記フレキシブルプリント基板は、前記折り線で前記シート側を凸にして折り曲げられ、前記非対向部が前記基板に接続されたことを特徴とする請求項３に記載の電子回路。
【発明の詳細な説明】
【技術分野】
【０００１】
本発明は、フレキシブルプリント基板（以下、ＦＰＣともいう。）を備えた配線構造、及び、その配線構造を備えた電子回路に関する。
【背景技術】
【０００２】
従来、ＦＰＣ等のフラットケーブルは、折り曲げて使用される場合がある。また、フラットケーブルが折り曲げられた場合、その折り曲げ部分に損傷があるか否かが、目視により確認されることがある（例えば、特許文献１参照。）。
【先行技術文献】
【特許文献】
【０００３】
【特許文献１】特開２００４−２３５０２１号公報
【発明の概要】
【発明が解決しようとする課題】
【０００４】
一方、ＦＰＣには、他の部材との衝突を和らげる緩衝の目的や、他の部材との衝突によって発生する音を低減する消音の目的、或いは、他の部材と当該ＦＰＣとの間に一定の間隔を確保するための間隔確保の目的で、少なくとも片面にシートが貼着されることがある。ところが、そのようなシートが貼着された後にＦＰＣが折り曲げられると、シートが貼着された側からは損傷の有無を目視によって確認するのが困難になる。配線構造における損傷の有無は、電気検査によっても確認することができるが、折り曲げられた形状のＦＰＣに対しては特殊な治具を当てて電気検査を行う必要があり、曲げ角度によって電極の当て方も変える必要があるので、検査が困難となる。
【０００５】
そこで、本発明は、フレキシブルプリント基板にシートを貼着した構成を有する配線構造及びその配線構造を備えた電子回路において、フレキシブルプリント基板の損傷の有無をその折り曲げ後にも容易に確認可能とすることを目的としてなされた。
【課題を解決するための手段】
【０００６】
前記目的を達するためになされた本発明の配線構造では、予め設定された折り線で折り曲げられるフレキシブルプリント基板の少なくとも片方の面の、前記折り線との対向部分を含む範囲にシートが対向配置される。このシートは、前記フレキシブルプリント基板に対する緩衝、消音、又は他の部材との間隙確保を行う。また、このシートは、前記フレキシブルプリント基板の前記面に対して、前記折り線との対向部分及び前記折り線に対するいずれか一方の側の部分を残して前記面に貼着される。
【０００７】
このため、本発明の配線構造では、フレキシブルプリント基板の前記面に対して前記シートを前記一方の側から捲り上げれば、折り曲げ部分に損傷があるか否かを容易に目視により確認することができる。また、前記面の折り線に対する両方の側でシートがフレキシブルプリント基板に貼着されていると、シートの復元力により、フレキシブルプリント基板が折り曲げられた後にその折り曲げられた形状を維持するのが困難になる。これに対して、本発明の配線構造では、折り線に対する片方の側（前記一方の側の反対側）でしかシートがフレキシブルプリント基板に貼着されていないので、フレキシブルプリント基板が折り曲げられた後にその折り曲げられた形状を維持するのも容易である。
【０００８】
なお、本発明の配線構造において、前記シートの前記折り線との対向部分及び前記一方の側の部分の面積は、前記シートの前記フレキシブルプリント基板に貼着された部分の面積よりも小さくてもよい。その場合、前記シートを前記フレキシブルプリント基板に貼着された状態に良好に維持することができる。また、折り曲げ部分に損傷があるか否かを確認するために捲り上げなければならない前記シートの面積も小さくなり、前記確認が容易になる。
【０００９】
また、本発明の電子回路は、少なくとも片面に電子部品が実装された基板を備え、前記配線構造は、前記基板を他部材に固定するための固定具又は前記電子部品と前記シートとが対向するように、前記基板に接続されている。このため、前記シートによって、前記固定具又は前記電子部品と前記フレキシブルプリント基板とが直接当接するのを抑制することができる。従って、前記フレキシブルプリント基板に対する緩衝又は消音を良好に行うことができる。
【００１０】
また、その電子回路において、前記折り線から前記一方の側に向かう方向に対して、前記フレキシブルプリント基板は前記シートよりも長く、その部分に前記フレキシブルプリント基板は前記シートと対向しない非対向部を有し、前記フレキシブルプリント基板は、前記折り線で前記シート側を凸にして折り曲げられ、前記非対向部が前記基板に接続されてもよい。その場合、前記シートが平面状に戻ろうとする復元力は、前記フレキシブルプリント基板を前記基板から離す方向に作用する。このため、前記固定具又は前記電子部品とフレキシブルプリント基板とが直接当接するのを一層良好に抑制することができ、一層良好に緩衝又は消音を行うことができる。
【図面の簡単な説明】
【００１１】
【図１】第１実施形態の配線構造の構成を概略的に表す平面図である。
【図２】その配線構造の効果を表す側面図である。
【図３】その配線構造の変形例の構成を概略的に表す平面図である。
【図４】第２実施形態の配線構造の構成を概略的に表す平面図である。
【図５】その配線構造の基板への接続状態を表す側面図である。
【図６】その配線構造及び基板を備えた電子回路の構成を表す平面図である。
【発明を実施するための形態】
【００１２】
［第１実施形態の配線構造］
次に、本発明の実施形態を図面と共に説明する。図１に示すように、第１実施形態の配線構造１は、長尺矩形のシート状に構成されたＦＰＣ３の片面に、そのＦＰＣ３よりも一回り小さい相似形の樹脂製のシート５を、重心位置が平面視で重畳するように積層して構成されている。なお、シート５は、ＦＰＣ３に対する緩衝機能、消音機能、又は他部材との間隙確保機能の少なくともいずれか１つの機能を実現できるものであれば何でもよいが、以下の説明では、前記３種類の機能全てを有するものとする。
【００１３】
ＦＰＣ３には、長手方向と直交し、かつ、そのＦＰＣ３の表面に沿った方向（以下、横方向という。）に、そのＦＰＣ３を折り曲げるべき折り線Ｌ１が予め設定されている。この折り線Ｌ１は、ＦＰＣ３の長手方向の一端３Ａ側に偏って設定されている。また、折り線Ｌ１は、ＦＰＣ３とシート５とが積層される範囲を横切って設定されている。
【００１４】
シート５は、折り線Ｌ１との対向部分５Ｃ（後述のようにある程度の幅を有する。）及び折り線Ｌ１よりも一端３Ａ側の部分を残した矩形の範囲５Ｇにおいて、接着剤を用いてＦＰＣ３に貼着されている。範囲５Ｇの面積は、シート５の折り線Ｌ１より一端３Ａ側の部分及び対向部分５Ｃを合わせた面積よりも広い。また、範囲５Ｇは、ＦＰＣ３の他端３Ｂ側に配設されるシート５の他端５Ｂに至る範囲に設定されている。このため、配線構造１では、シート５をＦＰＣ３に貼着された状態に良好に維持することができる。
【００１５】
このように構成された配線構造１では、一端３Ａの側に配設されたシート５の一端５ＡをＦＰＣ３の前記片面に対して捲り上げれば、図２に示すように、折り線Ｌ１の部分が露出する。このため、折り線Ｌ１の部分に損傷があるか否かを、前記片面の側からも容易に目視により確認することができる。このような目視による確認は、ＦＰＣ３とシート５とが範囲５Ｇで完全に接着された後からでも容易に実施可能で、ＦＰＣ３が折り線Ｌ１で折り曲げられた後からでも容易に実施可能である。
【００１６】
しかも、シート５がＦＰＣ３に貼着される範囲５Ｇは、折り線Ｌ１よりも一端５Ａ側と、ある程度の幅を有する対向部分５Ｃとを残して設定されているので、ＦＰＣ３の折り線Ｌ１の部分が前記片面側に露出するまでシート５を捲り上げるのも容易である。なお、対向部分５Ｃの幅（ＦＰＣ３の長手方向の幅）は、シート５を接着する際のずれを考慮して少なくとも２〜３ｍｍ程度あるのが望ましい。
【００１７】
また、折り線Ｌ１に対する両方の側でシート５がＦＰＣ３に貼着されていると、シート５の復元力により、ＦＰＣ３が折り曲げられた後にその折り曲げられた形状を維持するのが困難になる。これに対して、配線構造１では、折り線Ｌ１に対する片方の側に設定された範囲５Ｇでしかシート５がＦＰＣ３に貼着されていないので、ＦＰＣ３が折り曲げられた後にその折り曲げられた形状を維持するのも容易である。
【００１８】
なお、本発明の配線構造における折り線は、必ずしも折り線Ｌ１のように横方向に設定される必要はなく、図３に示す折り線Ｌ２のように斜めに設定されてもよい。その場合も、折り線Ｌ２との対向部分及び折り線Ｌ２よりも一端３Ａ側の部分を残すように設定された矩形の範囲５Ｇでシート５とＦＰＣ３とが貼着されることにより、前述のような目視による確認が容易に実施可能となる。この場合、範囲５Ｇは、折り線Ｌ２に近い側の端縁が折り線Ｌ２と平行になるように台形状に設定されてもよいことはいうまでもない。
【００１９】
［第２実施形態の配線構造］
また、本発明の配線構造は、前記実施形態に何ら限定されるものではなく、本発明の要旨を逸脱しない範囲で種々の形態で実施することができる。例えば、ＦＰＣ３やシート５の形状は種々に変更することができる。
【００２０】
図４に示す第２実施形態の配線構造２１のＦＰＣ２３は、一端２３Ａの近傍に、平面視クランク状に屈曲した屈曲部２３Ｄを有している。すなわち、ＦＰＣ２３は、ＦＰＣ３と同様の長尺矩形に構成された第１部分２３Ｓと、その一端（他端２３Ｂの反対側）から横方向に屈曲した第２部分２３Ｔと、第２部分２３Ｔから前記屈曲方向とは逆方向に屈曲して第１部分２３Ｓと平行となった第３部分２３Ｕとを有する形状に構成されている。第３部分２３Ｕの、第１部分２３Ｓ，第２部分２３Ｔと反対側の端縁が、ＦＰＣ２３の一端２３Ａであり、第１部分２３Ｓ，第２部分２３Ｔ，第３部分２３Ｕが連接されている箇所が屈曲部２３Ｄである。
【００２１】
ＦＰＣ２３に積層されるシート２５は、ＦＰＣ２３の第１部分２３Ｓと相似形の第１部分２５Ｓと、その第１部分２５ＳからＦＰＣ２３の第２部分２３Ｔ表面に沿って横方向に延出した第２部分２５Ｔとを有する平面視略Ｌ字状の形状とされている。
【００２２】
折り線Ｌ３は、ＦＰＣ２３において、屈曲部２３Ｄに対して他端２３Ｂ側に隣接する位置に、すなわち、ＦＰＣ２３，シート２５の第１部分２３Ｓ，２５Ｓにおける一端２３Ａ側に偏った位置に、横方向に設定されている。そして、シート２５は、折り線Ｌ３との対向部分及び折り線Ｌ３よりも一端２３Ａ側の部分を残した矩形の範囲２５Ｇにおいて、接着剤を用いてＦＰＣ２３に貼着されている。この配線構造２１でも、シート２５の第２部分２５Ｔを捲り上げることにより、配線構造１と同様に目視による確認を行うことができる。また、配線構造２１でも、折り線Ｌ３に対する片方の側（他端２３Ｂ側）に設定された範囲２５Ｇでしかシート２５がＦＰＣ２３に貼着されていないので、ＦＰＣ２３が折り曲げられた後にその折り曲げられた形状を維持するのも容易である。
【００２３】
［第２実施形態の配線構造を備えた電子回路］
次に、配線構造２１を用いてプリント配線基板５０，６０を接続してなる電子回路７０について説明する。図５に示すように、電子回路７０は、ＦＰＣ２３が折り線Ｌ３で折り曲げられた後、ＦＰＣ２３の一端２３Ａをプリント配線基板５０のコネクタ５１に接続し、ＦＰＣ２３の他端２３Ｂをプリント配線基板６０のコネクタ６１に接続して構成される。なお、図５では、プリント配線基板５０，６０を同一平面上に描いているが、ＦＰＣ２３の接続後には、両者はＦＰＣ２３の折り曲げ角に応じた角度で相対的に傾斜して配置されてもよい。
【００２４】
プリント配線基板５０のコネクタ５１が設けられた面には、そのプリント配線基板５０に実装された電子部品５３や、プリント配線基板５０を装置筐体等の他部材に固定するためのビス（固定具の一例）の頭５５が突出している。また、図６に示すように、プリント配線基板５０，６０はいずれも矩形の板状に構成されているが、プリント配線基板５０には、１つの頂点を矩形に切り欠いた切欠部５０Ａが形成されている。そこで、ＦＰＣ２３は、電子部品５３及びビスの頭５５及び切欠部５０Ａの角とシート２５とが対向するように、プリント配線基板５０，６０に接続される。このため、シート２５によって、電子部品５３又はビスの頭５５又は切欠部５０Ａの角にＦＰＣ２３が直接当接するのを抑制することができる。従って、ＦＰＣ２３に対する緩衝又は消音を良好に行うことができる。
【００２５】
また、ＦＰＣ２３は、折り線Ｌ３でシート２５側を凸にして折り曲げられている（図５参照）。そして、ＦＰＣ２３は、一端２３Ａの側がシート２５よりも長く、ＦＰＣ２３はその部分（非対向部の一例）がシート２５と対向しておらず、かつ、一端２３Ａがコネクタ５１に接続される。このため、シート２５が平面状に戻ろうとする復元力は、コネクタ５１との接続部分を中心としてＦＰＣ２３をプリント配線基板５０から離す方向に作用する。このため、電子部品５３又はビスの頭５５又は切欠部５０Ａの角とＦＰＣ２３とが直接当接するのを一層良好に抑制することができ、一層良好に緩衝又は消音を行うことができる。
【００２６】
すなわち、ＦＰＣ２３は前述のように折り曲げられているだけでも、電子部品５３又はビスの頭部５５又は切欠部５０Ａの角との当接が抑制されているが、シート２５が貼着されたことによって前記当接が極めて良好に抑制される。
【００２７】
なお、シート５又は２５は、ＦＰＣ３又は２３と重ねて折り曲げたときに一緒に折れ曲がるものであってもよく、図５に示すシート２５のように折れ曲がらずに平面形状を維持するものであってもよい。後者の場合、前述のようにＦＰＣ２３をプリント配線基板５０から離す力が一層良好に作用し、一層良好に緩衝又は消音を行うことができる場合がある。また、後者の場合、使用時にはＦＰＣ３又は２３とシート５又は２５との間に隙間が空く可能性があるが、緩衝、消音、他部材との間隙確保（クリアランス確保）等の機能を実現するに当たって問題とはならない。また、シート５又は２５は、ＦＰＣ３又は２３の両面に貼着されてもよい。さらに、シート５又は２５がＦＰＣ３又は２３と貼着される範囲は矩形でなくてもよく、その範囲は折り線Ｌ１，Ｌ２，Ｌ３よりも一端３Ａ，２３Ａ側に設定されてもよい。また、電子部品５３は、プリント配線基板５０の両面に実装されてもよい。
【符号の説明】
【００２８】
１，２１…配線構造        ３，２３…ＦＰＣ          ３Ａ，２３Ａ…一端
５，２５…シート          ５Ｇ，２５Ｇ…範囲        ５０，６０…プリント配線基板
５０Ａ…切欠部            ５１，６１…コネクタ      ５３…電子部品
５５…ビスの頭            ７０…電子回路            Ｌ１，Ｌ２，Ｌ３…折り線
【図１】
2015144198.tif 000003
【図２】
2015144198.tif 000004
【図３】
2015144198.tif 000005
【図４】
2015144198.tif 000006
【図５】
2015144198.tif 000007
【図６】
2015144198.tif 000008